(57)【要約】【課題】  ユーザが位置する地域固有情報を提供する場合に、ユーザ負担を軽減して、動画像情報を含んだ表現力豊かな大容量の情報を容易に提供する【解決手段】  携帯情報端末１０がその位置情報を利用してその地域固有の情報である、例えばその地域の地図情報をサーバ２０から提供を受ける場合、最初に高速広域通信網２００を用いて一括してダウンロードする。その後、端末１０が移動した場合には、移動前と移動後の差分の情報のみをサーバ２０から公衆移動通信網１００を介して送信する。こうすることにより、端末移動後の情報の表示までの時間の短縮が可能となり、また動画などのこれまで実現できなかった大容量のデータを使用した表現力に富んだ情報提供が可能となる。【選択図】      図１                                                  
2005051569.tif 000002
【特許請求の範囲】
【請求項１】
携帯情報端末と情報提供サーバとが、第一の通信網及びこの通信網より高速広帯域の第二の通信網により通信可能であり、前記端末からの要求に応答して、当該端末の位置する地域に関する情報をサーバから前記携帯情報端末へ提供する情報提供システムであって、
前記サーバは、
前記端末からの情報提供要求に応答して、前記地域に関する情報を、前記第二の通信網を介して前記携帯情報端末へ送信する手段と、
前記端末からの移動通知に応答して、移動前後の表示差分情報を、前記第一の通信網を介して前記携帯情報端末へ送信する手段とを有することを特徴とする情報提供システム。
【請求項２】
前記携帯情報端末は、自身の位置情報を取得して前記要求と共に、前記サーバへ送信する手段を有し、
前記サーバは、前記位置情報に応じて前記地域に関する情報を送信することを特徴とする請求項１記載の情報提供システム。
【請求項３】
前記第一及び第二の通信網に接続可能で、かつ前記携帯情報端末の位置登録をなす位置情報登録手段を更に設け、
前記携帯情報端末は、自身の位置情報を取得して前記位置情報登録手段に送信すると共に、前記要求を前記サーバへ送信する手段を有し、
前記サーバは、前記要求に応答して、前記位置情報登録手段から当該端末の位置情報を得て当該端末の位置する地域に関する情報を、前記携帯情報端末へ送信するようにしたことを特徴とする請求項１記載の情報提供システム。
【請求項４】
前記携帯情報端末は、移動に応答して自身の位置情報を取得して前記位置情報登録手段に送信すると共に、移動通知を前記サーバへ送信する手段を有し、
前記サーバは、前記移動通知に応答して、前記位置情報登録手段から当該端末の移動後の位置情報を得て移動前後の表示差分情報を、前記第一の通信網を介して前記携帯情報端末へ送信するようにしたことを特徴とする請求項１記載の情報提供システム。
【請求項５】
携帯情報端末と情報提供サーバとが、第一の通信網及びこの通信網より高速広帯域の第二の通信網により通信可能であり、前記端末からの要求に応答して、当該端末の位置する地域に関する情報をサーバから前記携帯情報端末へ提供する情報提供方法であって、
前記サーバにおいて、
前記端末からの情報提供要求に応答して、前記地域に関する情報を、前記第二の通信網を介して前記携帯情報端末へ送信するステップと、
前記端末からの移動通知に応答して、移動前後の表示差分情報を、前記第一の通信網を介して前記携帯情報端末へ送信するステップとを有することを特徴とする情報提供方法。
【請求項６】
前記携帯情報端末において、自身の位置情報を取得して前記要求と共に、前記サーバへ送信するステップを有し、
前記サーバにおいて、前記位置情報に応じて前記地域に関する情報を送信することを特徴とする請求項５記載の情報提供方法。
【請求項７】
携帯情報端末と、第一の通信網及びこの通信網より高速広帯域の第二の通信網により通信可能であり、前記端末からの要求に応答して、当該端末の位置する地域に関する情報を提供する情報提供サーバであって、
前記端末からの情報提供要求に応答して、前記地域に関する情報を、前記第二の通信網を介して前記携帯情報端末へ送信する手段と、
前記端末からの移動通知に応答して、移動前後の表示差分情報を、前記第一の通信網を介して前記携帯情報端末へ送信する手段とを含むことを特徴とするサーバ。
【請求項８】
前記携帯情報端末からの位置情報を含む前記要求に応答して、前記位置情報に応じて前記地域に関する情報を、前記携帯情報端末へ送信することを特徴とする請求項７記載のサーバ。
【請求項９】
情報提供サーバと、第一の通信網及びこの通信網より高速広帯域の第二の通信網により通信可能であり、ユーザの位置する地域に関する情報を前記サーバから提供を受けるようにした携帯情報端末であって、
前記位置情報を取得して前記地域に関する情報の提供要求を前記サーバへ送信する手段と、
前記サーバからの前記地域に関する情報を前記第二の通信網により受信して表示する手段と、
移動に応答して、移動通知を前記サーバへ送信する手段と、
前記移動通知に応答して前記サーバから前記第一の通信網を介して送信されてきた移動前後の表示差分情報を受信して、前記地域に関する情報に前記表示差分情報を反映して表示する手段とを含むことを特徴とする携帯情報端末。
【請求項１０】
携帯情報端末と、第一の通信網及びこの通信網より高速広帯域の第二の通信網により通信可能であり、前記端末からの要求に応答して、当該端末の位置する地域に関する情報を提供する情報提供サーバの動作をコンピュータにより実行させるためのプログラムであって、
前記端末からの情報提供要求に応答して、前記地域に関する情報を、前記第二の通信網を介して前記携帯情報端末へ送信する処理と、
前記端末からの移動通知に応答して、移動前後の表示差分情報を、前記第一の通信網を介して前記携帯情報端末へ送信する処理とを含むことを特徴とするプログラム。
【請求項１１】
情報提供サーバと、第一の通信網及びこの通信網より高速広帯域の第二の通信網により通信可能であり、ユーザの位置する地域に関する情報を前記サーバから提供を受けるようにした携帯情報端末の動作をコンピュータにより実行させるためのプログラムであって、
前記位置情報を取得して前記地域に関する情報の提供要求を前記サーバへ送信する処理と、
前記サーバからの前記地域に関する情報を前記第二の通信網により受信して表示する処理と、
移動に応答して、移動通知を前記サーバへ送信する処理と、
前記移動通知に応答して前記サーバから前記第一の通信網を介して送信されてきた移動前後の表示差分情報を受信して、前記地域に関する情報に前記表示差分情報を反映して表示する処理とを含むことを特徴とするプログラム。
【発明の詳細な説明】
【技術分野】
【０００１】
本発明は情報提供システム及びその方法並びにそれに用いる携帯情報端末及びサーバに関し、特に携帯情報を使用してユーザが現在いる地域に関する情報を得るための情報提供方式に関するものである。
【背景技術】
【０００２】
近年、携帯電話機などの携帯情報端末が広く普及しており、ユーザはレジャーや旅行、更には出張などの外出時に、常に携帯情報端末を携帯しており、ネットワークを介して、いつでもどこでも、希望する相手先との通信が可能である。
【０００３】
特に、外出先における地域に関する固有の情報、例えば、地図情報、ショッピング情報、施設情報、交通情報、気象情報、イベント情報などを必要とする場合があるが、かかる場合には、携帯情報端末を用いて、ユーザは地域に関するこれらの情報を取得することができるシステムが提案されている。
【０００４】
例えば、図７に示すように、携帯情報端末１０（以下、単に端末と称す）と、地域固有の情報を提供するサーバ２０とが、公衆移動通信網１００により接続されたシステムがある。端末１０は、自身の位置を測定する位置計測部１１と、サーバ２０と通信する通信部１２と、ユーザへの提供情報の表示をなす表示部１３と、これら各部を制御する制御部（ＣＰＵ）１５と、この制御部の動作手順を予めプログラムとして格納したＲＯＭ１６とを有する。
【０００５】
サーバ２０は、端末１０と通信する通信部２１と、端末１０の位置情報に応じた情報、すなわちユーザのいる地域固有の情報を保持するデータベース２２と、これらを制御する制御部（ＣＰＵ）２３と、この制御部の動作手順を予めプログラムとして格納したＲＯＭ２４とを有する。
【０００６】
この様な構成を有する情報サービスシステムでは、端末１０が位置計測部１１で測定した端末１０の位置情報を、通信部１２により公衆移動通信網１００を介してサーバ２０へ通知して、サーバ２０に対して当該位置情報に応じた地域固有情報の提供を要求する。サーバ２０では、制御部２３が通信部２１にて受信した位置情報に応じた地域固有情報をデータベース２２から取出して、通信部２１により公衆移動通信網１００を介して、端末１０に送信する。端末１０では、通信部１２で受信した情報を、表示部１３にて表示することにより、ユーザに対して地域固有情報を提供することになる。
【０００７】
また、ユーザがいる位置に関する地図情報を提供表示するカーナビゲーションシステムがある。図８はこのカーナビゲーションシステムにおけるカーナビゲーション装置３０の概略ブロック図であり、図８に示すように、装置３０自身の位置を測定する位置計測部３１と、その位置に応じた地域固有情報を保持するデータベース３２と、表示部３３と、制御部（ＣＰＵ）３４と、プログラムを格納したＲＯＭ３５とからなっている。
【０００８】
この様な構成を有するカーナビゲーションシステムでは、大容量の情報を扱えるが、データベース３２はＣＤ−ＲＯＭやＤＶＤ等で提供されるために、短い期間で変化する情報を提供することは困難であるという欠点がある。そこで、当該欠点を解決するために、カーナビゲーションシステムにおいて、伝送容量の小さい第一の通信網と大きい第二の通信網とを用いて、容量の大きいデータの通信は第二の通信網を利用し、送信先の特定は第一の通信網を利用して行い、走行ルートの案内や詳細地図の配信を、ユーザの負担を小さく、かつ高速に行うという技術が提案されている（特許文献１を参照）。
【０００９】
【特許文献１】特開２００３−１０８４５４号公報
【発明の開示】
【発明が解決しようとする課題】
【００１０】
上述した図７に示した情報提供システムでは、端末１０が移動した場合には、提供すべき地域固有情報が変化するので、上記と同じ動作を繰り返すことにより、移動先に適した情報をユーザへ提供するようになっている。すなわち、比較的低速の公衆移動通信網１００を介して、表示する情報をその都度、サーバ２０から端末１０へ送信するよっになっているために、情報を表示するまでに時間がかかり、大容量で通信時間を必要とする動画などの場合には、情報を表示することが困難となる。
【００１１】
また、特許文献１に開示のカーナビゲーションシステムにおいても、端末が移動した場合には、再度詳細地図情報などを第二の通信網を利用して送信することになるが、例えば、ユーザが地域固有情報の提供を受けつつ、徒歩などにより、広域ではなく、狭い範囲で移動した場合でも、当該地域固有情報は大きく変化することはないにもかかわらず、再度サーバから新たな地域固有情報を受信することになり、ユーザに対する負担が大きくなるという問題がある。
【００１２】
本発明の目的は、ユーザが位置する地域固有情報を提供する場合に、ユーザ負担を軽減して、動画像情報を含んだ表現力豊かな大容量の情報を容易に提供することが可能な情報提供システム及びその方法並びにそれに用いる携帯情報端末及びサーバ、更にはそれらを動作させるプログラムを提供することである。
【課題を解決するための手段】
【００１３】
本発明による情報提供システムは、携帯情報端末と情報提供サーバとが、第一の通信網及びこの通信網より高速広帯域の第二の通信網により通信可能であり、前記端末からの要求に応答して、当該端末の位置する地域に関する情報をサーバから前記携帯情報端末へ提供する情報提供システムであって、前記サーバは、前記端末からの情報提供要求に応答して、前記地域に関する情報を、前記第二の通信網を介して前記携帯情報端末へ送信する手段と、前記端末からの移動通知に応答して、移動前後の表示差分情報を、前記第一の通信網を介して前記携帯情報端末へ送信する手段とを有することを特徴とする。
【００１４】
本発明による情報提供方法は、携帯情報端末と情報提供サーバとが、第一の通信網及びこの通信網より高速広帯域の第二の通信網により通信可能であり、前記端末からの要求に応答して、当該端末の位置する地域に関する情報をサーバから前記携帯情報端末へ提供する情報提供方法であって、前記サーバにおいて、前記端末からの情報提供要求に応答して、前記地域に関する情報を、前記第二の通信網を介して前記携帯情報端末へ送信するステップと、前記端末からの移動通知に応答して、移動前後の表示差分情報を、前記第一の通信網を介して前記携帯情報端末へ送信するステップとを有することを特徴とする。
【００１５】
本発明によるサーバは、携帯情報端末と、第一の通信網及びこの通信網より高速広帯域の第二の通信網により通信可能であり、前記端末からの要求に応答して、当該端末の位置する地域に関する情報を提供する情報提供サーバであって、前記端末からの情報提供要求に応答して、前記地域に関する情報を、前記第二の通信網を介して前記携帯情報端末へ送信する手段と、前記端末からの移動通知に応答して、移動前後の表示差分情報を、前記第一の通信網を介して前記携帯情報端末へ送信する手段とを含むことを特徴とする。
【００１６】
本発明による携帯情報端末は、情報提供サーバと、第一の通信網及びこの通信網より高速広帯域の第二の通信網により通信可能であり、ユーザの位置する地域に関する情報を前記サーバから提供を受けるようにした携帯情報端末であって、前記位置情報を取得して前記地域に関する情報の提供要求を前記サーバへ送信する手段と、前記サーバからの前記地域に関する情報を前記第二の通信網により受信して表示する手段と、移動に応答して、移動通知を前記サーバへ送信する手段と、前記移動通知に応答して前記サーバから前記第一の通信網を介して送信されてきた移動前後の表示差分情報を受信して、前記地域に関する情報に前記表示差分情報を反映して表示する手段とを含むことを特徴とする。
【００１７】
本発明によるプログラムは、携帯情報端末と、第一の通信網及びこの通信網より高速広帯域の第二の通信網により通信可能であり、前記端末からの要求に応答して、当該端末の位置する地域に関する情報を提供する情報提供サーバの動作をコンピュータにより実行させるためのプログラムであって、前記端末からの情報提供要求に応答して、前記地域に関する情報を、前記第二の通信網を介して前記携帯情報端末へ送信する処理と、前記端末からの移動通知に応答して、移動前後の表示差分情報を、前記第一の通信網を介して前記携帯情報端末へ送信する処理とを含むことを特徴とする。
【００１８】
本発明による他のプログラムは、情報提供サーバと、第一の通信網及びこの通信網より高速広帯域の第二の通信網により通信可能であり、ユーザの位置する地域に関する情報を前記サーバから提供を受けるようにした携帯情報端末の動作をコンピュータにより実行させるためのプログラムであって、前記位置情報を取得して前記地域に関する情報の提供要求を前記サーバへ送信する処理と、前記サーバからの前記地域に関する情報を前記第二の通信網により受信して表示する処理と、移動に応答して、移動通知を前記サーバへ送信する処理と、前記移動通知に応答して前記サーバから前記第一の通信網を介して送信されてきた移動前後の表示差分情報を受信して、前記地域に関する情報に前記表示差分情報を反映して表示する処理とを含むことを特徴とする。
【００１９】
本発明の作用を述べる。携帯情報端末が、ＧＰＳや測位手段による位置情報を利用して、当該位置の地域に関する情報をサーバより取得する情報提供サービスにおいて、最初に情報を一括ダウンロードする際には、無線ＬＡＮ等の高速広帯域通信網を利用して高速処理し、その後携帯情報端末が移動した場合には、移動前後の表示差分情報のみを、一般の公衆移動通信網を利用して送信することで、移動後の情報を表示するまでの時間を短縮する。これにより、動画などのこれまで実現不可能であった大容量の情報を用いた表現力豊富なサービスが可能となる。
【発明の効果】
【００２０】
本発明による第１の効果は、位置情報の表示までの時間を短縮できることにある。その理由は、最初に高速広帯域の通信網を利用して、複数の情報を一括してダウンロードし、以後、その移動による差分情報のみを送信するため、移動時の通信データ量を小さくできるためである。
【００２１】
また、本発明による第２の効果は、大容量の情報を取り扱うことができ、表現力豊かなサービスが提供できることにある。その理由は、複数の大容量の情報を最初に一括ダウンロードすることにより、移動時でもどの情報を表示すれば良いか指示するだけで良いためである。
【発明を実施するための最良の形態】
【００２２】
以下に、図面を参照しつつ本発明の実施の形態について詳細に説明する。図１は本発明の実施の形態を示す概略ブロック図であり、図７と同等部分は同一符号により示している。図１を参照すると、端末１０は、自身の位置を測定する位置計測部１１と、サーバ２０と通信する通信部１２と、表示部１３と、サーバ２０からダウンロードされた情報を格納するデータ格納部１４と、制御部（ＣＰＵ）１５と、プログラムを格納したＲＯＭ１６とを有する。
【００２３】
また、サーバ２０は、端末１０と通信する通信部２１と、地域に関する地域固有情報を保持するデータベース２２と、制御部（ＣＰＵ）２３と、プログラムを格納したＲＯＭ２４とを有する。端末１０とサーバ２０とは、高速で通信する高速広帯域通信網２００と、端末移動時等、端末１０とサーバ２０が高速広帯域通信網２００を介して通信できない場合に通信する公衆移動通信網１００とを介して、接続されている。
【００２４】
図１において、自身の位置を測定する位置計測部１１を有する端末（携帯情報端末）１０は、通信部１２により高速広帯域通信網２００を介して、位置計測部１１により測定した自身の位置情報をサーバ２０に通知し、端末１０の位置に応じた地域固有情報の一括ダウンロードを要求する。
【００２５】
サーバ２０は通信部２１により、端末１０からの要求を受け取り、端末１０の位置に応じた地域固有情報をデータベース２２から取出して、通信部２１により高速広帯域通信網２００を介して、端末１０に情報を一括してダウンロードする。端末１０は、通信部１２によりサーバ２０から受け取った情報を、一旦データ格納部１４に保存すると共に、サーバ２０から指示された情報を表示部１３にて表示する。
【００２６】
端末１０が移動した時、端末１０は、位置計測部１１により再度自身の位置を測定し、通信部１２により公衆移動通信網１００を介して端末１０の位置情報を、サーバ２０に通知する。サーバ２０は、通信部２１にて受信した端末１０の位置情報から、端末１０の位置が変わったことによる表示情報の変更差分のみを、データベース２２から取出し通信部２１により公衆移動通信網１００を介して、端末１０に送信する。端末１０は、通信部１２で受信した差分情報と、データ格納部１４に格納してある情報の一部を合わせて、表示部１３にて表示することになる。
【００２７】
このようにして、最初に高速広帯域通信網２００を介して情報を一括ダウンロードすることにより、次回以降の情報通信量が少なく済むため、移動した場所が高速広帯域通信のできない場所であっても、情報を表示するまでの時間が短縮でき、動画などの表現力豊かな情報を表示することが可能となるのである。
【００２８】
次に、図２のシーケンス図を参照して本実施の形態の全体の動作について詳細に説明する。まず、ステップＡ１では、端末１０は、位置計測部１１により端末１０の位置を取得する。次にステップＡ２では、端末１０は、通信部１２により高速広帯域通信網２００を介して、サーバ２０に端末１０の位置情報を通知し、その位置の周辺情報の一括ダウンロードを要求する。次にステップＡ３では、サーバ２０は、通信部２１で受信した端末１０の位置情報を参照し、データベース２２から端末１０の位置の周辺の情報を取得する。次にステップＡ４では、サーバ２０は、通信部２１により高速広帯域通信網２００を介して、端末１０の周辺の情報を一括ダウンロードする。
【００２９】
次にステップＡ５では、端末１０は、サーバ２０から一括ダウンロードされた情報を、一旦データ格納部１４に格納する。次にステップＡ６では、端末１０は、表示部１３にサーバ２０から指示された情報を表示する。次にステップＡ７では、端末１０は、高速広帯域通信網２００での通信ができない場所に移動したとすると、次のステップＡ８では、端末１０は、位置計測部１１により端末１０の位置を再度取得する。
【００３０】
次にステップＡ９では、端末１０は、通信部１２により公衆移動通信網１００を介して、サーバ２０に端末１０が移動したこととその位置情報を通知する。次にステップＡ１０では、サーバ２０は、通信部２１で受信した端末１０の位置情報を参照し、データベース２２から端末１０の移動による表示の差分情報を取得する。次にステップＡ１１では、サーバ２０は、通信部２１により公衆移動通信網１００を介して、端末１０に表示の差分情報を送信する。次にステップＡ１２では、端末１０は、表示部１３により、サーバ２０から送信された差分情報を、一括ダウンロードした情報に反映して表示する。
【００３１】
次に、具体例を用いて説明する。端末の周辺地図を表示するサービスでは、図３に示すように、サーバ２０がデータベース２２から端末１０の位置周辺の地図データと端末１０の位置表示情報を取得し（ステップＢ３）、端末１０に位置周辺の地図データと端末１０の位置表示情報を一括ダウンロードする（ステップＢ４）。すなわち、端末１０の現在位置を含む広範囲の地図データを一括ダウンロードしておくのである。こうすることにより、端末の移動が一定範囲内であれば、移動の都度、地図データをサーバ２０から端末１０に送信する必要がない。また、高速広帯域通信網２００を利用することにより、多くの地図データを一括ダウンロードしても通信時間は少なくてすむ。
【００３２】
なお、この高速広帯域通信網２００としては、無線ＬＡＮ（Local Area Network）などがあり、ユーザは携帯電話機などの端末１０を近くのホットスポットなどにおいて、無線ＬＡＮ２００に接続してサーバ２０へアクセスし、地域固有情報である地図データを一括してダウンロードする。
【００３３】
そして、当該ホットスポットから離れて移動しながら端末１０の表示部１３での表示を見る場合には、端末１０は高速広帯域通信網である無線ＬＡＮを利用できない場所に移動（ステップＢ７）することになるが、このときは、公衆通信網１００を介してサーバ２０に接続して、差分データのみを送受信することになる（ステップＢ８〜Ｂ１０）。一定範囲内であれば、既に地図データを端末１０へ一括ダウンロードしているので、サーバ２０からは、端末１０に対し端末１０の位置表示情報と地図の表示範囲を通知する（ステップＢ１１）だけで、地図データを送信せずに端末１０の位置周辺の地図を表示することができる（ステップＢ１２）。この様に、送信データ量が小さくできるため、低速でしか通信できない公衆移動通信網１００でも、地図を短時間で表示できることになるのである。
【００３４】
また、同様に端末１０の周辺の店舗情報を表示するサービスでは、図４に示すように、サーバ２０がデータベース２２から端末１０の位置周辺の地図情報と、店舗識別子及び動画等による表現力豊かな店舗情報からなる複数の店舗広告情報を取得し（ステップＣ３）、端末１０に一括してダウンロードする（ステップＣ４，Ｃ５）。そして、端末１０では、店舗広告位置及び周辺地図と店舗の位置を表示部１３に表示する（ステップＣ６，Ｃ７）。
【００３５】
次に、端末１０が移動した場合（ステップＣ８）、移動位置に最も近い店舗の店舗識別子をサーバ２０から端末１０に通知することにより（ステップＣ９〜Ｃ１２）、端末１０では、先にダウンロードした店舗広告情報から店舗識別子が一致する店舗情報を表示する（ステップＣ１３）。
【００３６】
次に、本発明の他の実施の形態について、図５を参照して説明する。図５において、図１と同等部分は同一符号により示している。図５を参照すると、本実施の形態における端末１０及びサーバ２０は図１と同一である。図１の構成の他に、位置情報登録手段である位置情報データベース３０が設けられており、この位置情報データベース３０は、高速広帯域通信網２００と公衆移動通信網１００とに接続可能である。
【００３７】
次に、図６のシーケンス図を参照して本実施の形態の全体の動作について詳細に説明する。まず、ステップＤ１では、端末１０は、位置計測部１１により端末１０の位置を取得する。次にステップＤ２では、端末１０は、通信部１２により公衆移動通信網１００を介して、位置情報データベース３０に端末１０の位置の登録を要求する。
【００３８】
次にステップＤ３では、位置情報データベース３０は、端末１０の位置情報をデータベースに登録する。次にステップＤ４では、端末１０は、通信部１２により高速広帯域通信網２００を介して、サーバ２０に端末１０の周辺情報の一括ダウンロードを要求する。次にステップＤ５では、サーバ２０は、通信部２１で受信した要求から要求した端末が端末１０であることを特定する。
【００３９】
次にステップＤ６では、サーバ２０は、端末１０の位置情報の取得を位置情報データベースに要求する。次にステップＤ７では、位置情報データベース３０は、端末１０の位置情報を、サーバ２０に回答する。次にステップＤ８では、取得した端末１０の位置情報を参照して、データベース２２から端末１０の位置の周辺の情報を取得する。次にステップＤ９では、サーバ２０は、通信部２１により高速広帯域通信網２００を介して、端末１０の周辺の情報を一括ダウンロードする。
【００４０】
次にステップＤ１０では、端末１０は、サーバ２０から一括ダウンロードされた情報を、一旦データ格納部１４に格納する。次にステップＤ１１では、端末１０は、表示部１３にサーバ２０から指示された情報を表示する。次にステップＤ１２で、端末１０が高速広帯域通信網２００での通信ができない場所に移動すると、ステップＤ１３では、端末１０は、位置計測部１１により端末１０の位置を再度取得する。次にステップＤ１４では、端末１０は、通信部１２により公衆移動通信網１００を介して、位置情報データベース３０に端末１０の位置の登録を要求する。
【００４１】
次にステップＤ１５では、位置情報データベース３０は、端末１０の位置情報をデータベースに登録する。次にステップＤ１６では、端末１０は、通信部１２により公衆移動通信網１００を介して、サーバ２０に端末１０が移動したことを通知する。次にステップＤ１７では、サーバ２０は、通信部２１で受信した移動通知から移動した端末が端末１０であることを特定する。
【００４２】
次にステップＤ１８では、サーバ２０は、端末１０の位置情報の取得を位置情報データベースに要求する。次にステップＤ１９では、位置情報データベース30は、端末10の位置情報をサーバ２０に回答する。次にステップＤ２０では、サーバ２０は、取得した端末１０の位置情報を参照し、データベース２２から端末１０の移動による表示の差分情報を取得する。次にステップＤ２１では、サーバ２０は、通信部２１により公衆移動通信網１００を介して、端末１０に表示の差分情報を送信する。次にステップＤ２２では、端末１０は、表示部１３によりサーバ２０から送信された差分情報を表示する。
【００４３】
上記実施の形態における端末としては、携帯電話機の他に、ＰＤＡ（Personal Digital Assistant）等の携帯型の情報処理端末を用いることができる。また、端末やサーバの動作は、予めＲＯＭに動作手順をプログラムとして格納しておき、これをコンピュータであるＣＰＵにより読取らせて実行するように構成できることは明白である。
【図面の簡単な説明】
【００４４】
【図１】本発明の一実施の形態の概略ブロック図である。
【図２】本発明の一実施の形態の動作を説明するシーケンス図である。
【図３】図１に示す本発明の一実施の形態の具体的動作の一例を説明するシーケンス図である。
【図４】図１に示す本発明の一実施の形態の具体的動作の他の例を説明するシーケンス図である。
【図５】本発明の他の実施の形態の概略ブロック図である。
【図６】本発明の他の実施の形態の動作を説明するシーケンス図である。
【図７】従来例を説明するための概略ブロック図である。
【図８】従来の他の例を説明するための概略ブロック図である。
【符号の説明】
【００４５】
１０  端末
１１  位置計測部
１２，２１  通信部
１３  表示部
１４  データ格納部
１５，２３  制御部（ＣＰＵ）
１６，２４  ＲＯＭ
２０  サーバ
２２  データベース
３０  位置情報データベース
１００  公衆移動通信網
２００  高速広帯域通信網
【図１】
2005051569.tif 000003
【図２】
2005051569.tif 000004
【図３】
2005051569.tif 000005
【図４】
2005051569.tif 000006
【図５】
2005051569.tif 000007
【図６】
2005051569.tif 000008
【図７】
2005051569.tif 000009
【図８】
2005051569.tif 000010